(57)【要約】【課題】足元スペースを狭くすることなくばね力の調節操作を片手で容易に行うことができ、調節量を把握しやすく、再度微調節をしたい場合にも調節量の見当をつけやすく、調節前の状態にも容易に戻すことができるばね力調節構造を提供せんとする。【解決手段】コイルばね６が係止された係止部材１の延出部１１を支持する係合段部２１が次第に高くなる方向に調節部材２を回転付勢する復帰ばね３を設け、調節部材２を係合段部２１が次第に低くなる方向に回動させることで、係止部材１がスタンド本体４の長溝４ｃに沿って下降し、コイルばねの力が低下する方向に調節され、係止部材１を長溝４ｃに沿って上方に移動させることでコイルばね６の力が高まるとともに調節部材２が復帰ばね３に付勢されて回転し、延出部を支持する係合段部２１がより高い係合段部２１で支持することにより係止部材１を当該位置に保持する。【選択図】図２
2014077875.tif 000002
【特許請求の範囲】
【請求項１】
スタンド脚とペダル装置により支持され、上端部に下部シンバルが取り付けられる筒状のスタンド本体と、該スタンド本体の内部に挿通され、突出する上端部に上部シンバルが保持され且つ下端部にペダルが連結される昇降ロッドと、同じくスタンド本体の内部に装着され、一端側に係止される前記昇降ロッドを上方に付勢するコイルばねとを備えたハイハットスタンドにおける前記コイルばねのばね力調節構造であって、
前記スタンド本体の内部においてコイルばねの他端側に係止され下方に付勢される係止部と、前記スタンド本体の周壁に貫通して設けられた長溝を通じて外部に延出する延出部とを有し、前記長溝に沿って上下に移動可能とされた係止部材を設け、
前記係止部材の延出部を下方から支持する筒状の調節部材を、前記スタンド本体の外周部の上下方向所定の位置に軸中心に回動可能に設け、
前記調節部材の前記延出部を支持する支持部、及び／又は前記延出部の前記調節部材により支持される被支持部に、高さの異なる複数の係合段部を高さ順に周方向に階段状に連設し、
前記スタンド本体に対して、前記延出部を支持する係合段部及び／又は調節部材により支持される係合段部が次第に高くなる方向に、前記調節部材を回転付勢する復帰ばねを設けてなり、
前記調節部材を、前記スタンド本体に対して前記延出部を支持する係合段部及び／又は調節部材により支持される係合段部が次第に低くなる方向に回動させることで、前記係止部材が前記長溝に沿って下降してコイルばねのばね力が低下し、
また前記係止部材を前記長溝に沿って上方に移動させることで、コイルばねのばね力が高まるとともに前記調節部材が復帰ばねに付勢されて回転し、前記延出部を支持する係合段部及び／又は調節部材により支持される係合段部がより高い係合段部で支持及び／又は支持されることにより、前記係止部材を当該位置に保持することを特徴とするハイハットスタンドのばね力調節構造。
【請求項２】
同一の階段構造の前記支持部及び／又は被支持部を周方向に沿って複数設けてなる請求項１記載のハイハットスタンドのばね力調節構造。
【請求項３】
前記複数の階段構造の支持部及び／又は被支持部を、スタンド本体の軸中心に対して対称となる位置に設けてなる請求項２記載のハイハットスタンドのばね力調節構造。
【請求項４】
前記調節部材が、前記スタンド本体の外周部に一端側が係止されて周方向に配置される前記復帰ばねの他端側を内周面側に係止し、外周面を把持部として回転操作される環状基部と、該環状基部の上面側に設けられる前記支持部とよりなる請求項１〜３の何れか１項に記載のハイハットスタンドのばね力調節構造。
【請求項５】
前記調節部材が、前記支持部の外周面側に該支持部を覆う筒状部を設けてなり、且つ前記係止部材が、延出部の前記支持部に対向する部位よりも外側の部位に、前記調節部材の筒状部の外周面に沿って下方に延びる筒状の操作カバーを設けてなる請求項４記載のハイハットスタンドのばね力調節構造。
【請求項６】
請求項１〜５の何れか１項に記載のばね力調節構造を備えるハイハットスタンド。
【発明の詳細な説明】
【技術分野】
【０００１】
本発明は、ハイハットスタンドのばね力調節構造に関する。
【背景技術】
【０００２】
ハイハットスタンドは、上端部に下部シンバルが取り付けられる筒状のスタンド本体と、スタンド本体の内部に挿通されて突出した上端部に上部シンバルが保持される昇降ロッドと、昇降ロッドの下端に連結されるペダルと、昇降ロッドを上方に付勢するコイルばねと、コイルばねのばね力を調節するばね力調節装置とより構成され、ペダルを踏み込むことで昇降ロッドが上部シンバルとともに下降し、下部シンバルを衝打するものである（例えば、特許文献１参照。）。
【０００３】
コイルばね及びばね力調節装置は、スタンド本体の下端部に並設される筒体内部に昇降ロッド下端に連結金具を介して連結された棒状のばね受け具を設け、該ばね受け具に同じく筒体内部に設けられるコイルばねの下端側が係止され、筒体上端部に螺合される調節キャップにコイルばねの上端が係止されたものであり、この調節キャップを回転させてばね長さを変化させることにより、ばね力を調節する。このようなコイルばね及びばね力調節装置は構造が簡単であり、調節操作も容易である。しかし、このようにスタンド本体下端部に連結金具及び筒体を並設すると、これを操作するペダルも操作性を維持するために長く大きなものとならざるを得ず、スタンド脚やペダルが存在する足元の限られたスペースが更に狭くなってしまい、使い勝手が悪いといった課題がある。
【０００４】
これに対し、コイルばね及びばね力調節装置をスタンド本体の途中部に設けたものも提供されている。例えば特許文献２では、スタンド本体の内側の昇降ロッド周りに配置される内筒部材と、内筒部材の更に内側の昇降ロッド周りに設けられ、上端が内筒部材の上端に係止され且つ下端が昇降ロッドに固定された引張りコイルばねと、内筒部材の下部にスタンド本体の切欠部を介して外側に突出するように設けられた係止部材と、スタンド本体の外周に回動自在に設けられ、上部に係止部材を係着する高さの異なる複数の係合段部を有する調節部材とを備えた構造が提案されている。
【０００５】
しかし、このような構造では、係止部材が内筒部材とともに下降する方向、すなわちばね力が弱まる方向には調節部材を片手で回転させるだけで簡単に操作することができるが、反対に係止部材を内筒部材とともに上昇させる方向、すなわちばね力が強まる方向には、片手で係止部材を持ち上げたまま、もう片方の手で調節部材を回転させ、係止部材に段部を係合させる必要がある。このように両手を使用しなければならない調節操作は煩雑であり、操作性に課題がある。また係止部材を上昇させる量は注意しないと分かりにくく、一旦上昇させた後に再度微調整したいような場合にどの程度調節部材を回して係止部材を下降させればよいのか見当がつかなくなり、調節前の状態にも戻せなくなってしまうといった課題もある。
【０００６】
また特許文献３には、昇降ロッドに一端が係止されたコイルばねと、このコイルばね他端が係止されたスライドピンと、スタンド本体にその軸方向に沿って延びるように形成され、このスライドピンが遊挿された長孔と、このスタンド本体に嵌合、固定され、その軸方向に沿って延びるように形成され、上記スライドピンの突出部が遊挿された長孔を有すると共に、その軸方向に沿って配設された複数の係合溝および該係合溝に連設されたガイド通路を有するスリーブと、スタンド本体に回転自在に嵌合され、上記両長孔より突出したスライドピンの突出部が当接するピン係合部を有すると共に、上記複数の係合溝のいずれかに係合されることにより、スタンド本体に対する高さ位置を設定する位置決め突起を有するロータリノブとを備えたものが提案されている。
【０００７】
このような特許文献３の構造によれば、ロータリノブを回転させて位置決め突起を複数の係合溝のいずれかに係合させる結果、スリーブの軸方向に対するロータリノブの位置が変更され、スライドピンのスタンド本体に対する高さ位置も変化し、片手でばね力が調節可能となる。しかしながら、このような構造では、ばね力を調節する際に一旦ロータリーノブを回転させて位置決め突起をスリーブの係合溝から離脱させ、軸方向に移動させて再度、他の係合溝に嵌合させるという複雑な操作が必要となり、その間、常にばね力に抗してロータリーノブを支持していなければならない。
【０００８】
また、一段ずつ係合溝を移動させていくものではないので、注意していなければ軸方向への移動の前後でどれだけの係合溝を通過したのか分かりにくい構造である。従って、一旦調節した後に再度微調節したい場合に、調節前の位置を憶えていなければどの係合溝に係合させればよいか見当がつかなくなってしまい、調節前の状態にも戻せなくなるといった課題もあった。
【先行技術文献】
【特許文献】
【０００９】
【特許文献１】実公昭６１−２８２３７号公報
【特許文献２】実公平５−２１１１２号公報
【特許文献３】実公平６−４３９４号公報
【発明の概要】
【発明が解決しようとする課題】
【００１０】
そこで、本発明が前述の状況に鑑み、解決しようとするところは、足元のスペースを狭くすることなく、ばね力の調節操作を片手で容易に行うことができ、ばね力を弱める方向及び強める方向の双方向について調節量を把握しやすく、再度微調節をしたい場合にも調節量の見当をつけやすく、調節前の状態にも容易に戻すことができるハイハットスタンドのばね力調節構造を提供する点にある。
【課題を解決するための手段】
【００１１】
本発明は、前述の課題解決のために、スタンド脚とペダル装置により支持され、上端部に下部シンバルが取り付けられる筒状のスタンド本体と、該スタンド本体の内部に挿通され、突出する上端部に上部シンバルが保持され且つ下端部にペダルが連結される昇降ロッドと、同じくスタンド本体の内部に装着され、一端側に係止される前記昇降ロッドを上方に付勢するコイルばねとを備えたハイハットスタンドにおける前記コイルばねのばね力調節構造であって、前記スタンド本体の内部においてコイルばねの他端側に係止され下方に付勢される係止部と、前記スタンド本体の周壁に貫通して設けられた長溝を通じて外部に延出する延出部とを有し、前記長溝に沿って上下に移動可能とされた係止部材を設け、前記係止部材の延出部を下方から支持する筒状の調節部材を、前記スタンド本体の外周部の上下方向所定の位置に軸中心に回動可能に設け、前記調節部材の前記延出部を支持する支持部、及び／又は前記延出部の前記調節部材により支持される被支持部に、高さの異なる複数の係合段部を高さ順に周方向に階段状に連設し、前記スタンド本体に対して、前記延出部を支持する係合段部及び／又は調節部材により支持される係合段部が次第に高くなる方向に、前記調節部材を回転付勢する復帰ばねを設けてなり、前記調節部材を、前記スタンド本体に対して前記延出部を支持する係合段部及び／又は調節部材により支持される係合段部が次第に低くなる方向に回動させることで、前記係止部材が前記長溝に沿って下降してコイルばねのばね力が低下し、また前記係止部材を前記長溝に沿って上方に移動させることで、コイルばねのばね力が高まるとともに前記調節部材が復帰ばねに付勢されて回転し、前記延出部を支持する係合段部及び／又は調節部材により支持される係合段部がより高い係合段部で支持及び／又は支持されることにより、前記係止部材を当該位置に保持することを特徴とするハイハットスタンドのばね力調節構造を構成した。
【００１２】
ここに係合段部の「高さ」とは、係合する相手側に近づく方向、すなわち支持部の係合段部では軸に沿った上方向、被支持部の係合段部では軸に沿った下方向の位置をいい、相手側に近いほど「高い」係合段部、遠いほど「低い」係合段部となる。
【００１３】
ここで、同一の階段構造の前記支持部及び／又は被支持部を周方向に沿って複数設けてなる構造が好ましい。
【００１４】
更に、前記複数の階段構造の支持部及び／又は被支持部を、スタンド本体の軸中心に対して対称となる位置に設けてなる構造が好ましい。
【００１５】
また、調節部材が、前記スタンド本体の外周部に一端側が係止されて周方向に配置される前記復帰ばねの他端側を内周面側に係止し、外周面を把持部として回転操作される環状基部と、該環状基部の上面側に設けられる前記支持部とよりなる構造が好ましい。
【００１６】
特に、調節部材が、支持部の外周面側に該支持部を覆う筒状部を設けてなり、且つ係止部材が、延出部の前記支持部に対向する部位よりも外側の部位に、調節部材の筒状部の外周面に沿って下方に延びる筒状の操作カバーを設けてなる構造が好ましい。
【００１７】
また本発明は、上記のばね力調節構造を備えるハイハットスタンドをも提供する。
【発明の効果】
【００１８】
以上にしてなる本発明に係るばね力調節構造及びそれを備えるハイハットスタンドによれば、スタンド本体にコイルばねとばね力調節構造を構成したので、スタンド本体の下端部に連結金具を介して筒体を並設する必要がなく、足元のスペースを狭くすることはない。また、調節部材の支持部、及び／又は延出部の被支持部に、高さの異なる複数の係合段部を高さ順に周方向に階段状に連設するとともに、スタンド本体に対して、延出部を支持する係合段部及び／又は調節部材により支持される係合段部が次第に高くなる方向に、調節部材を回転付勢する復帰ばねを設けたので、延出部を支持する係合段部及び／又は調節部材により支持される係合段部が次第に低くなる方向に調節部材を回動させると、係止部材が長溝に沿って下降してコイルばねのばね力が低下する方向に調節でき、その際の調節部材の回動は片手で容易に行うことができる。また回動操作に伴い係合段部が一段ずつ移動するので調節量を容易に把握できる。また、係止部材を上方に移動させると、コイルばねのばね力が高まるとともに調節部材が復帰ばねに付勢されて回転し、延出部を支持する係合段部及び／又は調節部材により支持される係合段部がより高い係合段部で支持及び／又は支持されることになり、ばね力が高まる方向に調節できる。この際も、片手で係止部材を上方に移動させるだけで調節部材は復帰ばねによって自動的に係合位置まで回動するので、両手を使うことなく調節操作を行うことができる。また、上方への移動操作に伴い係合段部が一段ずつ移動するので調節量を容易に把握できる。つまり、本発明によれば、ばね力を弱める方向及び強める方向の双方向について、ばね力の調節操作を片手で容易に行うことができ、調節量も容易に把握でき、したがって再度微調節をしたい場合にも調節量の見当をつけやすく、また調節前の状態にも容易に戻すことができるのである。
【００１９】
また、同一の階段構造の支持部及び／又は被支持部を周方向に沿って複数設けてなる構造であるので、調節部材により係止部材を複数の位置で安定した姿勢に支持することができ、係止部材が不安定な姿勢になって昇降ロッドの操作に悪影響を及ぼすといったことを未然に防止することができる。
【００２０】
特に、複数の階段構造の支持部及び／又は被支持部を、スタンド本体の軸中心に対して対称となる位置に設けてなる構造であるので、調節部材によって係止部材をより安定した姿勢に支持することができる。
【００２１】
また、調節部材が、スタンド本体の外周部に一端側が係止されて周方向に配置される復帰ばねの他端側を内周面側に係止し、外周面を把持部として回転操作される環状基部と、該環状基部の上面側に設けられる支持部とよりなる構造であるので、外周径を大きくして操作性を高めた環状基部の内側に復帰ばねを効率よく配置させることができ、調節部材をコンパクト且つ低コストに構成することができる。
【００２２】
また、調節部材が、支持部の外周面側に該支持部を覆う筒状部を設けてなり、且つ係止部材が、延出部の前記支持部に対向する部位よりも外側の部位に、調節部材の筒状部の外周面に沿って下方に延びる筒状の操作カバーを設けてなるので、支持部及び被支持部がそれぞれ外側の筒状部及び操作カバーにより外部から遮蔽され、係合状態が外部から見えず、すっきりしたデザインにすることができ意匠上好ましいうえ、当該係合部に埃などの異物が入らずしっかりとした噛み合い、スムーズな調節操作が維持され、調節操作の際にうっかり手指を挟んでしまうといったことも未然に防止できる。
【図面の簡単な説明】
【００２３】
【図１】本発明のばね力調節構造を有するハイハットスタンドの全体構成を示す説明図。
【図２】同じくハイハットスタンドのばね力調節構造の要部を示す縦断面図。
【図３】同じくばね力調節構造の要部の分解斜視図。
【図４】（ａ）は同じくばね力調節構造の係止部材の被支持部を下面側からみた平面図、（ｂ）はそのＡ−Ａ縦断面図、（ｃ）は被支持部の階段状の係合段部を示す展開説明図。
【図５】（ａ）は同じくばね力調節構造の調節部材を上面側からみた平面図、（ｂ）はそのＢ−Ｂ縦断面図、（ｃ）は支持部の階段状の係合段部を示す展開説明図。
【図６】同じくばね力調節構造において係止部材が上昇してばね力が高まっている状態を示す縦断面図。
【図７】同じく横断面図。
【図８】同じくばね力調節構造において係止部材が下降してばね力が弱まっている状態を示す縦断面図。
【図９】同じく横断面図。
【図１０】（ａ）〜（ｃ）は、それぞれ係止部材の被支持部及び調節部材の支持部の変形例を示す概念図。
【図１１】（ａ），（ｂ）は、それぞれコイルばねを引張りばねとした変形例を示す要部の縦断面図。
【発明を実施するための形態】
【００２４】
次に、本発明の実施形態を添付図面に基づき詳細に説明する。
【００２５】
本発明のばね力調節構造Ｓを備える代表例としてのハイハットスタンドＨは、図１に示すように、スタンド脚８とペダル装置７により支持され、上端部に下部シンバル９０が取り付けられる筒状のスタンド本体４と、該スタンド本体４の内部に挿通され、突出する上端部に上部シンバル９１が保持され且つ下端部にペダル７１が連結される昇降ロッド５と、同じくスタンド本体４の内部に装着され、一端側６ａに係止される昇降ロッド５を上方に付勢して上部シンバル９１を下部シンバル９０から離間させるコイルばね６と、コイルばね６のばね力（弾性復元力／付勢力）を調節するばね力調節構造Ｓとより構成されている。
【００２６】
スタンド本体４は、下パイプ４０と、この下パイプ４０の上部に挿通され、蝶ねじ４２によって高さ調整可能に支持される上パイプ４１とより構成されている。下部シンバル９０は上パイプ４１の上端部に設けられるシンバル受け具４３に支持され、上部シンバル９１は上パイプ４１の上端から突出している昇降ロッド５上端部に固定されるシンバル保持具５０により保持されている。そして、ペダル７１を踏み込むことにより昇降ロッド５がコイルばね６のばね力に抗して引き下げられ、昇降ロッド５と一体に上部シンバル９１も下降してシンバル受け具４３に支持されている下部シンバル９０を衝打する。
【００２７】
スタンド脚８は、スタンド本体４の下パイプ４０に設けられた支持具８２Ａ，８２Ｂを介して周囲に２つ折り畳み可能に取り付けられ、スタンド本体４の下端に連結されるペダル装置７とともにスタンド本体４を支持している。各スタンド脚８は、下端が床面に設置され且つ上端部が上側の支持具８２Ａを介してスタンド本体４の下パイプ４０に取り付けられる支持脚８０と、該支持脚８０の途中部に一端側が連結され、他端側部が下側の支持具８２Ｂを介して下パイプ４０に取り付けられる連結ステー８１とより構成されている。
【００２８】
コイルばね６のばね力調節構造Ｓは、図２及び図３に示すように係止部材１と調節部材２と復帰ばね３とより構成されている。係止部材１は、昇降ロッド５に一端側６ａが係止されたコイルばね６の他端側６ｂを係止し、スタンド本体４の軸に沿って上下に移動することによりコイルばね６を変位させ、ばね力を変化させる部材であり、調節部材２は、係止部材１の移動量を調節する部材である。コイルばね６は昇降ロッド５の周囲に同軸状に装着された圧縮ばねであり、昇降ロッド５の連結ナット５１の下面に一端側６ａである上端が係止されるとともに、他端側６ｂである下端が前記係止部材１の上面に係止されている。連結ナット５１の代わりに昇降ロッド５の外周面にコイルばね６の一端側６ａが係止される突起を設けたものでも勿論よい。
【００２９】
係止部材１は、図６にも示すように下パイプ４０の内部においてコイルばね６の他端側６ｂが係止され、これにより下方に付勢されている係合部１０と、下パイプ４０の周壁に内外貫通して設けられた長溝４ｃを通じて外部に延出する延出部１１とより構成され、長溝４ｃに沿って上下に移動可能とされている。下パイプ４０の外側の延出部１１には、後述する調節部材２の階段状の係合段部２１,…に対向する部位に該係合段部２１,…に噛み合う略同一階段状の係合段部１３,…を有する被支持部１２が設けられている。
【００３０】
係止部材１は、より詳しくは、図３、図４及び図６に示すように中央部に昇降ロッド５が上下に挿通される貫通孔１５ａを有するとともに該貫通孔１５ａの上側の開口縁にコイルばね６の他端側６ｂが係止される拡径した段部１５ｂを有し、下パイプ４０の軸対称に二箇所形成された上記長溝４ｃ、４ｃを軸に直交する横方向に貫通してこれら長溝４ｃ、４ｃ内を上下にスライド自在に案内される棒状の支持金具１５と、周壁に前記支持金具１５の下パイプ４０より延出した両端部１５ｃ、１５ｃを受け入れて支持する係合孔１６ａ、１６ａを有するとともに下面側に上記した係合段部１３が階段状に形成された被支持部１２を有し、下パイプ４０の外周面上に上下スライド可能に被着される支持筒１６と、該支持筒１６の外側に隙間１４ｓを空けて同軸状に一体形成される筒状の操作カバー１４とより構成されている。
【００３１】
支持金具１５における上記貫通孔１５ａと段部１５ｂを有する下パイプ４０内側部位が上述の係合部１０を構成し、支持金具１５の下パイプ外側に延出する両端部１５ｃ、１５ｃとこれを支持して下パイプ４０の外側に配される支持筒１６と操作カバー１４とが上述の延出部１１を構成している。コイルばね６の付勢力を直接受ける係合部１０は、金属製の支持金具１５で構成され、支持筒１６と操作カバー１４は合成樹脂で一体成形されているが、これに限定されるものではなく、必要な強度や耐久性に応じて適宜素材を選択すればよい。
【００３２】
また代表例では、係合部１０を棒状の支持金具１５で構成したが、このような棒状のものに何ら限定されない。例えば略円板状の部材の外周端二箇所に突出部を設け、前記長溝４ｃ、４ｃを通じて下パイプの外側に延出させるものでもよい。またスタンド本体（下パイプ４０）からの延出箇所は二箇所に限定されず三つ以上の長溝を設けて延出箇所を三箇所以上としてもよい。この場合、中心軸に対して対称な位置で延出させることがコイルばね６の付勢力を安定した姿勢で受けることができる点で好ましい。また、一箇所のみ延出させることも可能である。
【００３３】
調節部材２は、下パイプ４０の外周部の上下方向所定の位置に軸中心に回動可能に設けられた筒状の部材であり、高さの異なる複数の係合段部２１,…が高さ順に周方向に階段状に連設された支持部２０を有し、該係合段部２１により前記係止部材１の延出部１１、具体的には上記した支持筒１６下面の被支持部１２を支持している。
【００３４】
調節部材２は、より詳しくは、図３、図５〜図７に示すように内周面側に復帰ばね３の他端側３ｂ側が連結され、外周面を把持部２２ａとして回転操作される環状基部２２と、該環状基部２２の上面側に設けられる前記支持部２０と、該支持部２０の外周面側に設けられて該支持部２０を覆う筒状部２３とより構成されている。支持部２０と環状基部２２と筒状部２３とよりなる調節部材２の全体が一体成形されているが、各部を別体で形成して互いに組み付けたものでもよい。例えば環状基部２２と筒状部２３を一体成形し、これに別途成形した支持部２０を組み付けたもの等でもよい。そして筒状部２３は係止部材１の支持筒１６と操作カバー１４との間の隙間１４ｓ内に挿着される。
【００３５】
調節部材２は、下パイプ４０の外周面上の軸方向所定の箇所に固定され且つ復帰ばね３の一端側３ａ側が連結された取り付け部材３０を介して、下パイプ４０の軸を中心に回動可能で且つ軸方向に移動不能に取り付けられている。取り付け部材３０は、下パイプ４０の外周面上に被着される筒状本体３１の上下端に外周方向に延びる環状の上フランジ３２及び下フランジ３３を設けたものであり、筒状本体３１の周壁に形成された径方向に貫通する螺孔３１ａに対し外側から止めねじ３４を締め付け下パイプ４０外周面に圧着させることにより固定され、該取り付け部材３０に対して断面視Ｌ字状の上記環状基部２２が回動可能に被着されている。
【００３６】
取り付け部材３０の両フランジ３２、３３で挟まれた周方向に延びる凹溝３５内には、図６及び図７に示すように内側に突設された係止凸部３６に一端側３ａが係止された状態で復帰ばね３が周方向に沿って収納されている。係止凸部３６は、上フランジ３２から軸方向に突設された係止棒としたが、凹溝３５内で復帰ばね３の一端側３ａを支持できるものであれば他の構造でも勿論よい。また、取り付け部材３０に被着される環状基部２２の内面側には、凹溝３５の内部に向けて係止凸部２２ｂが突設され、該係止凸部２２ｂに復帰ばね３の他端側３ｂが係止されている。係止凸部２２ｂは、環状基部２２の周壁に形成された径方向に貫通する螺孔２２ｃに対し外側から止めねじを装着して内側に突出させたものであるが、凹溝３５内で復帰ばね３の他端側３ｂを支持できるものであれば他の構造でも勿論よい。
【００３７】
これにより調節部材２は、取り付け部材３０に対して、延出部１１を支持する係合段部２１、すなわちある係合段部１３に着目した場合に該係合段部を支持する係合段部２１が次第に高い係合段部２１となる方向、調節部材２の構成について着目していえば支持部２０における係合段部２１がより低く構成されている階段が降りている方向に、復帰ばね３により回転付勢されると同時に、係止凸部２２ｂが凹溝３５を形成している上下フランジ３２、３３間に上下の移動が規制されることで軸方向に移動不能とされている。代表例では復帰ばね３を引張りコイルばねとしたが圧縮コイルばねを用いてもよい。
【００３８】
そして、係合段部２１、１３が互いに噛み合った状態から、調節部材２を復帰ばね３のばね力に抗して、ある係合段部１３を支持する係合段部２１が次第に低い係合段部２１となる方向（図６、図７の矢印ｘ１、ｘ２）に回転させると、これに伴い係止部材１が調節部材２に近づく方向（図６の矢印ｙ１）に下降するとともにコイルばね６のばね力は弱くなる方向に調節される。この回転方向には、係合段部１３が支持部２０のより低い係合段部２１に一段ずつ滑り落ちていくようにして相対回転させることができ、反対に、ある係合段部１３を支持する係合段部２１が次第に高い係合段部２１となる方向、すなわち階段状の係合段部２１、１３が互いに噛み合う方向には回転させることができない。
【００３９】
調節部材２の回転を止めると、コイルばね６による軸方向への圧着力は調節前よりも弱くなっているものの、調節部材２に対する復帰ばね３の周方向に沿った噛み合い方向（ある係合段部１３を支持する係合段部２１が次第に高い係合段部２１となる方向）への付勢力は逆に高まっており、係合段部１３、２１同士が強固に噛み合い、調節部材２により係止部材１を安定的に支持した状態が維持される。また、調節前に比べて係合段部１３、２１の噛み合う数、すなわち総面積も増えることになり、高い安定性を有する。
【００４０】
また、係合段部２１、１３が互いに噛み合った状態から、係止部材１をコイルばね６の付勢力に抗して調節部材２から遠くなる上方向（図８の矢印ｙ２）に押し上げ、係合段部１３を上方に逃がすと、復帰ばね３の付勢力に従って調節部材２がある係合段部１３を支持する係合段部２１が一段ずつ次第に高い係合段部２１となる方向（図８、図９のｘ３、ｘ４）に自動的に回転し、係合段部１３がより高い係合段部２１に係合して係止部材１は上昇した位置に保持される。この際、係合段部１３、２１の噛み合う数、すなわち総面積は減るが、コイルばね６による軸方向への圧着力が増すので安定した状態が同じく維持される。
【００４１】
ここで、係止部材１がもっとも上方の位置、すなわち係合段部１３、２１の噛み合う数が最も減る位置まで押し上げ、これに伴い調節部材２が復帰ばね３の付勢力に従って回転した状態において、復帰ばね３に所定の大きさ以上の付勢力が残存するように設定することが好ましい。これにより、噛み合いの総面積が減った係合段部１３、２１同士の噛み合った状態が抜けないようにより安定化させることができる。
【００４２】
このように、本発明に係るばね力調節構造Ｓによれば調節部材２を上記のように回転させるだけでコイルばね６のばね力を弱くする方向に調節され、また、係止部材１を上方向に移動させるだけでコイルばね６のばね力を強くする方向に調節されるので、強弱いずれの方向にも簡単な片手操作でばね力調節を行うことができるのである。
【００４３】
以上の代表例では、係合段部２１、１３の互いに当接する上面２１ａ及び下面１３ａは、図４（ｃ）及び図５（ｃ）にも示すように、それぞれ階段状に隣接しているより低い係合段部２１、１３に繋がる段差面２１ｂ、１３ｂの方向に向けて次第に高くなる傾斜面に形成されており、噛み合い状態が安定するように構成されている。ただし、同じく安定した噛み合い状態を実現する形状として、例えば一方がなだらかな凹状の曲面であり、他方がこれに嵌合するなだらかな凸状の曲面であるものも好ましい。
【００４４】
また代表例では、係止部材１に、階段状の係合段部１３,…を有する被支持部１２を軸対称な位置に合計二つ設けるとともに、調節部材２にも同じく階段状の係合段部２１,…を有する支持部２０を軸対称な位置に合計二つ設け、係合段部１３、２１が噛み合う支持部２０及び被支持部１２の組を二組設けたものであるが、本発明はこれに限らず、このような支持部２０及び被支持部１２の組を一組、又は三組以上設けることも可能である。三組以上設ける場合、係止部材１及び調節部材２にそれぞれ被支持部１２及び支持部２０を軸対称な位置に合計三つ以上ずつ設けることが好ましい。
【００４５】
また代表例では、係止部材１の被支持部１２及び調節部材２の支持部２０の双方に略同一階段状の係合段部１３、２１を設けているが、被支持部１２と支持部２０のうち何れか一方にのみ階段状の複数の係合段部１３,…又は係合段部２１，…を有する構造としても勿論よい。例えば図１０（ａ）は支持筒１６下面側に各係合段部２１に係合しうる係合凸部１３Ａを一つのみ有する被支持部１２を各支持部２０に対応して設けた例であり、図１０（ｂ）は支持筒１６を省略して支持金具１５の下パイプ４０から延出した部位を各係合段部２１に係合しうる被支持部１２とした例である。
【００４６】
このように支持部２０側にのみ階段状の係合段部２１を設けたものでも、双方に係合段部１３、２１を設けた場合と同様、調節部材２を、係合凸部１３Ａ又は支持金具１５の延出部位を支持する係合段部２１が次第に低くなる方向に回転させて、係止部材１を下降させてコイルばねのばね力を弱くする方向に調節したり、係止部材１を上方向に移動させて、係合凸部１３Ａ又は支持金具１５の延出部位をより高い係合段部２１で支持し、コイルばねのばね力を強くする方向に調節することができる。
【００４７】
また図１０（ｃ）は、支持部２０に各係合段部１３に係合しうる係合凸部２１Ａを一つのみ設けた例であり、このように被支持部１２側にのみ階段状の係合段部１３を設けたものでも、双方に係合段部１３、２１を設けた場合と同様、調節部材２を、係合凸部２１Ａにより支持される係合段部１３が次第に低くなる方向に回動させることで、係止部材１を下降させ、コイルばねのばね力を弱くする方向に調節したり、係止部材１を上方向に移動させて、係合凸部２１Ａにより、より高い位置の係合段部１３を支持し、コイルばねのばね力を強くする方向に調節することができる。
【００４８】
但し、代表例のように被支持部１２及び支持部２０の双方に階段状の係合段部１３、２１を設けることで、係止部材１と調節部材２が近づきコイルばね６のばね力が小さくなるほど係合段部１３、２１の噛み合いの総面積が多くなり、支持状態の安定性を十分に維持できる点で好ましい。
【００４９】
代表例においては、係止部材１の被支持部１２は操作カバー１４により外部から遮蔽されており、また調節部材２の支持部２０も外側の筒状部２３によって同じく外部から遮蔽されている。従って、調節の際に係止部材１が上下に移動してもこれら被支持部１２と支持部２０、及びこれらの係合状態は外部から遮蔽され、当該係合部に埃などの異物が入らずしっかりとした噛み合い、スムーズな調節操作が維持されるとともに、調節操作の際に手指を挟むといったことも未然に防止でき、階段状の係合部が外部から見えないのですっきりしたデザインにすることができ意匠上も好ましいものとなる。
【００５０】
また、代表例ではコイルばね６を圧縮ばねとし、その上端（６ａ）を昇降ロッド５に係止させ、下端（６ｂ）を係止部材１に係止させることで係止部材１に対し昇降ロッド５を上方に付勢するものであるが、コイルばね６を引張りばねとしてもよい。例えば図１１（ａ）に示すものは、引張りコイルばね６が係止部材１よりも下方の昇降ロッド５周囲に同軸状に装着され、コイルばね下端（一端側６ａ）が昇降ロッド５の途中部に設けた取付部材５２に係止され、上端（他端側６ｂ）が係止部材１の係合部１０としての支持金具１５下面側に設けた取付部１５ｄに係止されたものであり、同様に係止部材１に対して昇降ロッド５を上方に付勢し、係止部材１と調節部材２と復帰ばね３を有するばね力調節構造Ｓによってそのばね力を片手で容易に調節することができる。
【００５１】
図１１（ｂ）に示すものは、係止部材１と調節部材２と復帰ばね３とよりなるばね力調節構造Ｓとコイルばね６との配置関係を、圧縮コイルばねとした上述の代表例と同様の配置関係、すなわちばね力調節構造Ｓよりも上側に引張りコイルばね６が配置されるように構成した例である。具体的には、引張りコイルばね６が係止部材１よりも上方の昇降ロッド５周囲に同軸状に装着されるとともに、係止部材１の係合部１０としての支持金具１５上面から前記コイルばね６を覆うように下パイプ４０内部を上方に向けて筒状部材１７が延設され、コイルばね下端（一端側６ａ）が昇降ロッド５の途中部に設けた取付部材５２に係止され、筒状部材１７上端部に内側下方に向けて設けた取付部１７ａにコイルばね６上端（他端側６ｂ）が係止されたものである。この例でも同様に係止部材１に対して昇降ロッド５を上方に付勢し、ばね力調節構造Ｓによってそのばね力を片手で容易に調節することができる。
【００５２】
以上、本発明の実施形態について説明したが、本発明はこうした実施例に何ら限定されるものではなく、本発明の要旨を逸脱しない範囲において種々なる形態で実施し得ることは勿論である。例えば、代表例のばね力調節構造Ｓはスタンド本体４を構成している下パイプ４０の箇所に設けられているが、スタンド本体を構成する他の部材（中間パイプ等）に設けることも可能である。またコイルばね６は昇降ロッド５に外装されているが、筒状本体４内部において昇降ロッド５に外装するのではなく昇降ロッド５と平行に単又は複数本併設したものでもよい。
【符号の説明】
【００５３】
１  係止部材
２  調節部材
３ａ  一端側
３ｂ  他端側
４  スタンド本体
４ｃ  長溝
５  昇降ロッド
６ａ  一端側
６ｂ  他端側
７  ペダル装置
８  スタンド脚
１０  係合部
１１  延出部
１２  被支持部
１３  係合段部
１３Ａ  係合凸部
１３ａ  下面
１４  操作カバー
１４ｓ  隙間
１５  支持金具
１５ａ  貫通孔
１５ｂ  段部
１５ｃ  端部
１５ｄ  取付部
１６  支持筒
１６ａ  係合孔
１７  筒状部材
１７ａ  取付部
２０  支持部
２１  係合段部
２１Ａ  係合凸部
２１ａ  上面
２１ｂ  段差面
２２  環状基部
２２ａ  把持部
２２ｂ  係止凸部
２２ｃ  螺孔
２３  筒状部
３０  取り付け部材
３１  筒状本体
３１ａ  螺孔
３２  上フランジ
３３  下フランジ
３４  止めねじ
３５  凹溝
３６  係止凸部
４０  下パイプ
４１  上パイプ
４３  シンバル受け具
５０  シンバル保持具
５１  連結ナット
５２  取付部材
７１  ペダル
８０  支持脚
８１  連結ステー
８２Ａ，８２Ｂ  支持具
９０  下部シンバル
９１  上部シンバル
Ｈ  ハイハットスタンド
Ｓ  ばね力調節構造
【図１】
2014077875.tif 000003
【図２】
2014077875.tif 000004
【図３】
2014077875.tif 000005
【図４】
2014077875.tif 000006
【図５】
2014077875.tif 000007
【図６】
2014077875.tif 000008
【図７】
2014077875.tif 000009
【図８】
2014077875.tif 000010
【図９】
2014077875.tif 000011
【図１０】
2014077875.tif 000012
【図１１】
2014077875.tif 000013